【事件の表示】
　特願２００６−５４７７２６「高周波モジュール」拒絶査定不服審判事件〔平成１８年　６月　１日国際公開、ＷＯ２００６／０５７１７３〕について、次のとおり審決する。
【結　論】
　本件審判の請求は、成り立たない。
【理　由】
１．手続きの経緯 
　本願は、平成１７年１１月１４日（優先権主張２００４年１１月２５日、日本）を国際出願日とする出願であって、平成２０年６月２６日付けで拒絶査定され、これに対して同年７月３１日付けで拒絶査定不服審判の請求がなされ、同年９月１日付けで手続補正書が提出された。
　　　　
　　　　　
２．本願発明 
　本願の請求項１に係る発明は、平成２０年９月１日付け手続補正書によって補正された特許請求の範囲の請求項１に記載された事項により特定される、以下のとおりのものである（以下「本願発明」という）。
　　　　  
「【請求項１】
　送信信号が入力される送信入力ポート、受信信号を出力する受信出力ポート、および、アンテナへ前記送信信号を出力するまたは前記アンテナから前記受信信号を入力するアンテナポートを備え、該アンテナポートを送信入力ポートまたは受信出力ポートに切り替えて接続するＦＥＴスイッチと、
　前記送信入力ポートに接続され、前記送信信号の高次高調波を減衰させるフィルタと、を備えた高周波スイッチモジュールにおいて、
　前記フィルタは、伝送線路を含み前記送信信号の２次高調波の周波数を阻止域とする第１ローパスフィルタと、３次高調波の周波数を阻止域とする第２ローパスフィルタとが直列接続された構造からなり、
　前記ＦＥＴスイッチの送信入力ポートと前記フィルタとの間に、伝送線路からなる位相設定手段を備え、
　該位相設定手段の前記伝送線路の電気長は、
　前記送信信号の２次高調波および３次高調波の双方に対する前記ＦＥＴスイッチから前記フィルタ側を見たインピーダンスを、スミスチャート上で無限大から時計回りで変化させて位相変化させることで所定インピーダンスにするとともに、
　前記送信信号の基本波のインピーダンスの絶対値が前記位相設定手段を挿入しない状態と比較して変化させず、
　前記ＦＥＴスイッチに遠い側に設置されたフィルタに対する前記ＦＥＴスイッチからフィルタ側を見たインピーダンスが前記所定インピーダンスとなるように、前記ＦＥＴスイッチに近い側のフィルタ内の伝送線路を含んで調整されるように設定した、
　前記２次高調波の波長の１／４未満の長さであることを特徴とする高周波スイッチモジュール。」
　　　　
　　　　 　　　
３．引用例 
（１）引用例について
　原査定の拒絶の理由に引用された特開２００１−８６０２６号公報（以下、「引用例」という）には、下記の事項が記載されている。
　　　
（ア）「【００１５】
【発明の実施の形態】図１は本発明に係るアンテナ切り換え回路の一実施形態を示す回路図であり、アンテナ切り換え回路を含む通信端末の一構成例を示す回路図である。この通信端末において、アンテナ１０は、送信回路３０及び受信回路４０によって共有されている。図示のように、アンテナスイッチ２０の端子ａ、即ち、信号出力端子がアンテナ１０に接続され、その端子ｂは受信回路３０に接続され、端子ｃは送信回路４０に接続されている。本実施形態において、アンテナスイッチ２０と送信回路４０との間に、フィルタ回路５０が設けられている。
【００１６】アンテナスイッチ２０と送信回路３０及び受信回路４０との間に、それぞれ所定の特性インピーダンスをもつ信号伝送線路が接続されている。例えば、アンテナスイッチの端子ｂと受信回路３０との間に、信号伝送線路８０が接続され、アンテナスイッチ２０の端子ｃとフィルタ回路５０の接続点ＮＤ１との間に、信号伝送線路６０が接続され、さらにフィルタ回路５０の接続点ＮＤ１と送信回路４０との間に信号伝送線路７０が接続されている。これらの信号伝送線路の特性インピーダンスは、例えば、５０Ωである。
【００１７】アンテナ１０は、送受信回路によって共有されている。即ち、送信するとき、送信回路４０によって生成したＲＦ信号がアンテナ１０によって空中に電波として放射され、受信するとき、空中を伝搬する電波によってアンテナ１０において高周波信号が励起され、当該高周波信号は受信信号として受信回路３０に供給される。
【００１８】アンテナスイッチ２０は、送受信動作に合わせて、送信回路３０及び受信回路４０をそれぞれアンテナ１０に接続する。送信するとき、アンテナスイッチ２０は、端子ａと端子ｃを接続し、端子ａと端子ｂを切り離す。このため、送信回路４０によって生成したＲＦ信号がアンテナ１０に伝搬される。受信するとき、アンテナスイッチ２０は、端子ａと端子ｂを接続し、端子ａと端子ｃを切り離す。このため、アンテナ１０に励起した高周波の受信信号が受信回路３０に伝搬される。
【００１９】アンテナスイッチ２０は、例えば、高周波電界効果トランジスタ（以下、便宜上単に高周波ＦＥＴという）によって構成されている。図２は、アンテナスイッチ２０の一構成例を示している。ここで、アンテナスイッチ２０は、主に二つの高周波ＦＥＴ  ＳＴ１，ＳＴ２によって構成されている。高周波ＦＥＴ  ＳＴ１は、端子ａと端子ｂとの間に接続され、高周波ＦＥＴＳＴ２は、端子ａと端子ｃとの間に接続されている。端子ａは、アンテナ１０に接続され、端子ｂとｃはそれぞれ受信回路３０及び送信回路４０に接続されている。」
　
（イ）「【００２２】しかし、アンテナスイッチとして用いられた高周波ＦＥＴが大電力（大振幅）のＲＦ信号を扱い、さらに携帯端末の低電源電圧化と相まって、高周波ＦＥＴの非線型特性が顕著に現れる。このため、ＦＥＴにＲＦ信号が加わると、そのゲートバイアス電圧がＲＦ信号によって変調がかけられる。ＲＦ信号の振幅が大きいほどこの変調の度合いが大きくなり、ＦＥＴの出力信号が歪み、高調波成分が発生してしまう。ＦＥＴの歪みを抑制するために、例えば、複数段のＦＥＴを直列接続した多段構成のスイッチ回路が用いられているが、完全に高調波を抑制することが困難である。
【００２３】本実施形態では、図１に示すように、アンテナスイッチ２０の構成を変更することなく、アンテナスイッチ２０と送信回路４０との間に、フィルタ回路５０を設けて、当該フィルタ回路５０によってアンテナスイッチ２０の端子ａ側への高調波信号の放出を抑制する。図１に示すように、フィルタ回路５０は、ノードＮＤ１と接地電位ＧＮＤとの間に直列接続されているキャパシタ５２とインダクタンス（インダクタンスコイル）５４によって構成されている。キャパシタ５２とインダクタンス５４のそれぞれの値によって規定されたＬＣ定数を適宜設定することによって、当該フィルタ回路５０に、基本波を通過させ、高調波を反射する特性を付与することができる。
【００２４】即ち、送信回路４０によって生成したＲＦ信号がフィルタ回路５０によって減衰されることなくアンテナスイッチ２０に伝搬される。一方、アンテナスイッチ２０において発生した高調波信号は、送信アンテナ１０及び送信回路４０の両方向に向かって伝搬される。送信回路４０にに向かって伝搬される高調波信号は、フィルタ回路５０と伝送線路との接続ノードＮＤ１において反射され、アンテナスイッチ２０に向かって伝搬される。」
　　
（ウ）「【００２７】フィルタ回路５０は、アンテナスイッチ２０から伝搬されてた高調波信号を反射するので、図３に示すように、ノードＮＤ１において、入射される高調波信号Ｂが反射され、所定の位相、振幅を持つ反射信号Ｄがアンテナスイッチ２０に向かって伝搬される。そして、この高調波信号Ｄがアンテナスイッチ２０を通して、アンテナ１０に向かって伝搬される。即ち、図３に示すように、アンテナ１０とアンテナスイッチ２０との間にの信号線上に、アンテナスイッチ２０からアンテナ１０に向かって放出された高調波信号Ａと、フィルタ回路５０において反射された高調波信号Ｄがアンテナスイッチ２０を通過して、アンテナ１０に向かって伝搬される高調波信号Ｃの二つの高調波成分が伝搬される。
【００２８】本実施形態において、反射された高調波信号Ｃの振幅及び波形を制御することによって、アンテナ１０とアンテナスイッチ２０との間の信号伝送線路上の高調波成分ＡとＣを互いに相殺させる。即ち、反射された高調波成分Ｃの振幅を高調波成分Ａの振幅と同じく、位相が逆相するように制御することによって、高調波信号ＡとＣが相殺し、アンテナ１０とアンテナスイッチ２０との間の信号伝送線路上の高調波成分を除去することができる。
【００２９】フィルタ回路５０において、キャパシタ５２とインダクタンス５４によって決定されたＬＣ定数で高調波信号の反射率が制御される。即ち、抑制すべき高調波成分の周波数に応じて、キャパシタ５２とインダクタンス５４のそれぞれの値を制御することによって、フィルタ回路５０の反射率を制御できるので、ノードＮＤ１において反射される高調波成分Ｄ及びアンテナスイッチ２０を通過したあとの高調波成分の振幅が制御される。さらに、フィルタ回路５０の接続点、即ち、ノードＮＤ１とアンテナスイッチ２０との間の信号伝送線路の長さを制御することによって、アンテナスイッチ２０を通過したあとの高調波成分Ｃの位相を制御することができる。」　
　
（エ）「【００３１】以上説明したように、本実施形態によれば、アンテナスイッチ２０と送信回路４０との間の信号伝送線路にフィルタ回路５０を接続し、当該フィルタ回路５０は、基本波を通過させ、高調波成分に対して高いインピーダンスを示し、それを反射する特性を有する。」
　
　よって、上記（ア）乃至（エ）及び図面図１〜図３の記載から、引用例には、
「送信回路によって生成したＲＦ信号が入力される端子ｃ、受信信号を出力する端子ｂ、アンテナへ前記ＲＦ信号を出力するまたは前記アンテナから前記受信信号を入力する端子ａを備え、高周波ＦＥＴにより該端子ａを該端子ｃまたは該端子ｂに切り替えて接続するアンテナスイッチと、
　前記端子ｃに接続され、前記ＲＦ信号は通過させ、前記ＲＦ信号の高調波成分に対して高いインピーダンスを示して反射させるフィルタと、を備えたアンテナ切り換え回路において、
　前記アンテナスイッチの端子ｃと前記フィルタとの間に信号伝送線路を備え、
　前記信号伝送線路の長さを制御して高調波成分を除去するアンテナ切り換え回路。」
の発明（以下、「引用発明」という）が記載されている。
　　　　
　　　　　　　　　　  
４．対比 
（１）本願発明と引用発明との対応関係について
　引用発明の「送信回路によって生成したＲＦ信号」、「端子ａ」、「端子ｂ」、「端子ｃ」、「高周波ＦＥＴにより該端子ａを該端子ｃまたは該端子ｂに切り替えて接続するアンテナスイッチ」は、本願発明の「送信信号」、「アンテナポート」、「受信出力ポート」、「送信入力ポート」、「該アンテナポートを送信入力ポートまたは受信出力ポートに切り替えて接続するＦＥＴスイッチ」に相当している。
　　
　上記（ウ）には、「信号伝送線路の長さを制御することによって、アンテナスイッチ２０を通過したあとの高調波成分Ｃの位相を制御することができる」と記載されているので、引用発明の「信号伝送線路」は、本願発明の「伝送線路からなる位相設定手段」に相当している。
　　
　引用発明の「アンテナ切り換え回路」は、スイッチにより高周波信号の切り換えを行う機能的にまとまった部分であるモジュールであるといえるので、本願発明の「高周波スイッチモジュール」に相当している。
　　
（２）本願発明と引用発明の一致点について
　上記の対応関係から、本願発明と引用発明は、
「送信信号が入力される送信入力ポート、受信信号を出力する受信出力ポート、および、アンテナへ前記送信信号を出力するまたは前記アンテナから前記受信信号を入力するアンテナポートを備え、該アンテナポートを送信入力ポートまたは受信出力ポートに切り替えて接続するＦＥＴスイッチと、
　前記送信入力ポートに接続されたフィルタとを備えた高周波スイッチモジュールにおいて、
　前記ＦＥＴスイッチの送信入力ポートと前記フィルタとの間に、伝送線路からなる位相設定手段を備えたことを特徴とする高周波スイッチモジュール。」
の点で一致している。
　　　　　
（３）本願発明と引用発明の相違点について
　本願発明と引用発明とは、下記の点で相違する。
（相違点Ａ）
　本願発明のフィルタは、「送信信号の高次高調波を減衰させる」ものであり、かつ、「伝送線路を含み前記送信信号の２次高調波の周波数を阻止域とする第１ローパスフィルタと、３次高調波の周波数を阻止域とする第２ローパスフィルタとが直列接続された構造」であるのに対し、引用発明のフィルタは、そのような構成とはなっていない点。
　　
（相違点Ｂ）
　本願発明の位相設定手段の伝送線路の電気長は、「前記送信信号の２次高調波および３次高調波の双方に対する前記ＦＥＴスイッチから前記フィルタ側を見たインピーダンスを、スミスチャート上で無限大から時計回りで変化させて位相変化させることで所定インピーダンスにするとともに、
　前記送信信号の基本波のインピーダンスの絶対値が前記位相設定手段を挿入しない状態と比較して変化させず、
　前記ＦＥＴスイッチに遠い側に設置されたフィルタに対する前記ＦＥＴスイッチからフィルタ側を見たインピーダンスが前記所定インピーダンスとなるように、前記ＦＥＴスイッチに近い側のフィルタ内の伝送線路を含んで調整されるように設定した、
　前記２次高調波の波長の１／４未満の長さである」のに対し、引用発明の信号伝送線路はそのような構成とはなっていない点。
　　　　
５．当審の判断 
（１）相違点Ａについて
　引用例には、抑圧対象の高調波成分が２次高調波と３次高調波であることが段落番号００２６に記載され、抑圧対象の高調波成分を反射させるために高調波成分に対してハイインピーダンスを示すフィルタをアンテナスイッチと送信回路との間に設けることが段落番号００３１に記載されている。
　また、携帯電話等では、電力増幅器から出力される２次、３次の高調波を減衰するために、電力増幅器とアンテナとの間に２次、３次の高調波を減衰させる伝送線路を含んで構成されたローパスフィルタを設けることは周知技術にすぎない。
　そして、２次高調波を阻止するローパスフィルタは２次高調波に対してハイインピーダンスになり、３次高調波を阻止するローパスフィルタは３次高調波に対してハイインピーダンスになることは明らかであるから、引用発明のフィルタを、２次高調波を阻止するローパスフィルタと３次高調波を阻止するローパスフィルタとを直列接続する回路とすることで、アンテナスイッチ側で発生した２次高調波と３次高調波を反射させるとともに、電力増幅器から出力される２次高調波と３次高調波を減衰させることに格別の困難性は認められない。
　よって、引用発明のフィルタを「送信信号の高次高調波を減衰させる」ものであり、かつ、「伝送線路を含み前記送信信号の２次高調波の周波数を阻止域とする第１ローパスフィルタと、３次高調波の周波数を阻止域とする第２ローパスフィルタとが直列接続された構造」とすることは、当業者が容易に想到し得たものである。
　　　　
（２）相違点Ｂについて
　引用発明のフィルタを２次高調波を阻止するローパスフィルタと３次高調波を阻止するローパスフィルタとを直列接続する回路（以下、「直列ローパスフィルタ」という）とすることについては、上記（１）で検討した。ここでは、引用発明のフィルタを直列ローパスフィルタとした場合、アンテナスイッチで発生した２次高調波及び３次高調波を抑制する信号伝送線路の電気長について以下に検討する。
　
（２−１）アンテナスイッチからフィルタ側を見たインピーダンスについて
　高周波回路では、伝送線路の一端に回路が接続された場合、伝送線路の他端から該回路側を見たインピーダンスは、スミスチャート上を伝送線路の電気長により時計回りで変化する。
　よって、引用発明のアンテナスイッチに信号伝送線路を介して直列ローパスフィルタを接続した場合、アンテナスイッチから直列ローパスフィルタ側を見たインピーダンスは、各ローパスフィルタが対応する高調波で高いインピーダンスになることから、スミスチャート上で無限大から時計回りで信号伝送線路の電気長に対応した所定インピーダンスにされることは技術常識である。
　
（２−２）信号伝送線路の挿入によるインピーダンスの変化について
　引用発明に直列ローパスフィルタを接続した構成では、各ローパスフィルタは基本波において信号伝送線路と整合がとれている。
　よって、アンテナスイッチからフィルタ側を見たインピーダンスの大きさは、信号伝送線路の電気長によって変化しなくなるため、信号伝送線路を挿入した状態と挿入しない状態とでインピーダンスは変化しないといえる。
　
（２−３）ローパスフィルタを構成する伝送線路を考慮する点について
　アンテナスイッチに伝送線路を介して回路が接続される場合、アンテナスイッチから該回路を見たインピーダンスは、アンテナスイッチから該回路までの伝送線路の電気長により特定されることは技術常識である。
　よって、引用発明に直列ローパスフィルタを接続した構成では、アンテナスイッチから遠い側に設置されたローパスフィルタに対するアンテナスイッチからフィルタ側を見たインピーダンスは、信号伝送線路の電気長と、アンテナスイッチに近い側のフィルタ内に含まれる伝送線路の電気長により、所定の値に特定される構成となっていることは明らかである。
　　
（２−４）信号伝送線路の電気長を１／４波長未満とすることについて
　２次高調波を阻止するローパスフィルタは、２次高調波に対して高いインピーダンスを示すので、アンテナスイッチで発生した２次高調波は２次高調波を阻止するローパスフィルタにおいて同相で全反射されることになる。
　引用例の段落番号００２８〜００２９には、反射されてきた高調波の位相がアンテナスイッチで発生している高調波の位相に対して逆相となるように、信号伝送線の長さを制御することが記載されている。
　そこで、２次高調波を阻止するローパスフィルタにおいて同相で反射された高調波について考えると、信号伝送線路の長さが２次高調波の波長の略１／４の場合、アンテナスイッチで発生している高調波の位相と逆相になり打ち消し合うものであるが、単に抑制する程度のことであれば、１／４波長未満であっても良いことは明らかである。
　よって、引用発明において、アンテナスイッチから発生する高調波を抑制するために信号伝送線路の電気長を２次高調波の波長の１／４波長未満とすることに格別の困難性は認められない。
　
（２−５）まとめ
　してみると、上記（２−１）乃至（２−４）で検討したように、引用発明において、アンテナスイッチで発生した２次高調波及び３次高調波を抑制するために、
「前記送信信号の２次高調波および３次高調波の双方に対する前記ＦＥＴスイッチから前記フィルタ側を見たインピーダンスを、スミスチャート上で無限大から時計回りで変化させて位相変化させることで所定インピーダンスにするとともに、
　前記送信信号の基本波のインピーダンスの絶対値が前記位相設定手段を挿入しない状態と比較して変化させず、
　前記ＦＥＴスイッチに遠い側に設置されたフィルタに対する前記ＦＥＴスイッチからフィルタ側を見たインピーダンスが前記所定インピーダンスとなるように、前記ＦＥＴスイッチに近い側のフィルタ内の伝送線路を含んで調整されるように設定した、
　前記２次高調波の波長の１／４未満の長さである」
とすることは、当業者が容易に想到し得たものである。
　　
（３）本願発明の作用効果について　　　
　本願発明の作用効果も、引用発明及び周知技術から当業者が予測できる範囲のものであり、格別なものとはいえない。　　　　
　　
　　　
６．むすび 
　以上のとおり、本願発明は、当業者が引用発明び周知技術に基いて容易に発明することができたものであるから、特許法第２９条第２項の規定により特許を受けることができない。 
　したがって、本願は、他の請求項について、検討するまでもなく拒絶されるべきものである。 
　よって、結論のとおり審決する。